(57)【要約】【課題】グラフエリア内の簡単な操作で、ユーザが任意の時刻を指定して、この指定した時刻のグラフを表示するタブレット型Ｗｅｂプラント監視制御装置を得る。【解決手段】Ｗｅｂ端末１のグラフ表示機能１ｂによって、プラント監視データがＷｅｂ端末１の画面のグラフエリアに表示されるように構成され、Ｗｅｂ端末１の操作管理機能１ａがグラフエリア上で行われたフリック／スワイプ操作を検出した場合に、Ｗｅｂ端末１の時間軸リール表示機能１ｃが時間軸リールを表示し、ユーザがこの時間軸リールを操作して日時を入力すると、グラフ表示機能１ｂが、この入力された日時に基づき、プラント監視データをＷｅｂサーバ２から取得して、グラフエリアにプラント監視データのグラフを表示するようにした。【選択図】図１
2018077647.tif 000002
【特許請求の範囲】
【請求項１】
プラントの監視データを表示するタブレット型Ｗｅｂプラント監視制御装置であって、
上記監視データを画面のグラフエリアに表示するグラフ表示手段、
および上記グラフエリア上で行われる操作に応じて、上記表示するグラフの日時を入力するための時間軸リールを表示する時間軸リール表示手段を備え、
上記グラフ表示手段は、上記時間軸リールを用いて入力された日時に基づき、上記監視データの上記グラフエリアへの表示を行うことを特徴とするタブレット型Ｗｅｂプラント監視制御装置。
【請求項２】
上記画面上での操作を管理する操作管理手段を備え、
上記操作管理手段は、上記画面の拡大表示時には、上記グラフエリア上の操作が行われた場合でも、上記時間軸リール表示手段を起動しないことを特徴とする請求項１記載のタブレット型Ｗｅｂプラント監視制御装置。
【請求項３】
任意のタッチ操作および当該タッチ操作に対応する画面展開先を登録する画面展開先登録手段、
およびこの画面展開先登録手段により登録された上記タッチ操作が行われた場合に、上記登録された画面展開先への画面展開を行なう画面展開手段を備えたことを特徴とする請求項１または請求項２記載のタブレット型Ｗｅｂプラント監視制御装置。
【請求項４】
任意のタッチ操作および当該タッチ操作に対応する操作設定ウィンドウを登録する操作設定ウィンドウ登録手段、
およびこの操作設定ウィンドウ登録手段により登録された上記タッチ操作が行われた場合に、上記登録された操作設定ウィンドウを表示する操作設定ウィンドウ表示手段を備えたことを特徴とする請求項１から請求項３のいずれか一項記載のタブレット型Ｗｅｂプラント監視制御装置。
【請求項５】
請求項１から請求項４のいずれか一項に記載されたタブレット型Ｗｅｂプラント監視制御装置、
およびこのタブレット型Ｗｅｂプラント監視制御装置に上記監視データを配信するＷｅｂサーバを備えたことを特徴とするＷｅｂプラント監視制御システム。
【請求項６】
請求項３に記載されたタブレット型Ｗｅｂプラント監視制御装置、
および上記画面展開先登録手段による登録情報を保有する登録情報保有手段を有するＷｅｂサーバを備え、
上記登録情報保有手段により保有された登録情報は、上記タブレット型Ｗｅｂプラント監視制御装置により参照されることを特徴とするＷｅｂプラント監視制御システム。
【請求項７】
請求項４に記載されたタブレット型Ｗｅｂプラント監視制御装置、
および上記操作設定ウィンドウ登録手段による登録情報を保有する登録情報保有手段を有するＷｅｂサーバを備え、
上記登録情報保有手段により保有された登録情報は、上記タブレット型Ｗｅｂプラント監視制御装置により参照されることを特徴とするＷｅｂプラント監視制御システム。
【請求項８】
上記Ｗｅｂサーバは、
上記グラフエリア内の操作部品の操作可否を予め登録する操作部品登録手段を有し、
上記タブレット型Ｗｅｂプラント監視制御装置は、上記画面の拡大表示時であっても、上記操作部品登録手段により操作可として登録された操作部品については操作を行なうようにすることを特徴とする請求項５から請求項７のいずれか一項記載のＷｅｂプラント監
視制御システム。
【発明の詳細な説明】
【技術分野】
【０００１】
この発明は、プラントの設備運転状態及び計測値を表示するタブレット型Ｗｅｂプラント監視制御装置およびこれを用いたＷｅｂプラント監視制御システムに関するものである。
【背景技術】
【０００２】
従来の技術には、スクロールバーを操作する際に、グラフ内にあるデータ表示時間を表示するカーソルを閲覧しながら任意の時刻のグラフを表示するものがあった。（特許文献１参照）
また、タブレット端末上で、ユーザが任意のタッチ操作を行うことで、特定階層のメニュー画面へショートカットするものもあった。（特許文献２参照）
【先行技術文献】
【特許文献】
【０００３】
【特許文献１】特開２０１３−０９２８５８号公報（第６〜１２頁、第１図）
【特許文献２】特開２００６−３０９４７８号公報（第５〜８頁、第１図）
【発明の概要】
【発明が解決しようとする課題】
【０００４】
従来のプラント監視制御システムにおいて、タブレット端末画面は、ＰＣ（Ｐｅｒｓｏｎａｌ  Ｃｏｍｐｕｔｅｒ）のモニタと比べ、ディスプレイサイズが小さいため、スクロールバーが操作しにくく、ユーザが閲覧したい時刻を指定することが困難になるという問題があった。
また、画面展開時にメニュー画面内のリンクをタップするが、画面内のタップする箇所が小さく、誤って展開したい画面と別のリンクをタップする問題もあった。
【０００５】
この発明は、上述のような課題を解決するためになされたものであり、グラフエリア内の簡単な操作で、ユーザが任意の時刻を指定して、この指定した時刻のグラフを表示するタブレット型Ｗｅｂプラント監視制御装置およびこれを用いたＷｅｂプラント監視制御システムを得ることを目的とする。
【課題を解決するための手段】
【０００６】
この発明に係わるタブレット型Ｗｅｂプラント監視制御装置においては、プラントの監視データを表示するタブレット型Ｗｅｂプラント監視制御装置であって、監視データを画面のグラフエリアに表示するグラフ表示手段、およびグラフエリア上で行われる操作に応じて、表示するグラフの日時を入力するための時間軸リールを表示する時間軸リール表示手段を備え、グラフ表示手段は、時間軸リールを用いて入力された日時に基づき、監視データのグラフエリアへの表示を行うものである。
【発明の効果】
【０００７】
この発明によれば、プラントの監視データを表示するタブレット型Ｗｅｂプラント監視制御装置であって、監視データを画面のグラフエリアに表示するグラフ表示手段、およびグラフエリア上で行われる操作に応じて、表示するグラフの日時を入力するための時間軸リールを表示する時間軸リール表示手段を備え、グラフ表示手段は、時間軸リールを用いて入力された日時に基づき、監視データのグラフエリアへの表示を行うので、グラフエリア上の簡単な操作により、ユーザが任意の時刻を指定して、この指定した時刻のグラフを
表示することができる。
【図面の簡単な説明】
【０００８】
【図１】この発明の実施の形態１によるＷｅｂプラント監視制御システムを示すシステム構成図である。
【図２】この発明の実施の形態１によるＷｅｂプラント監視制御システムにおけるＷｅｂ端末のハードウェアを示す構成図である。
【図３】この発明の実施の形態１によるＷｅｂプラント監視制御システムの動作を示すフローチャートである。
【図４】この発明の実施の形態１によるＷｅｂプラント監視制御システムのグラフエリアを示す図である。
【図５】この発明の実施の形態１によるＷｅｂプラント監視制御システムの時間軸リールを示す図である。
【図６】この発明の実施の形態２によるＷｅｂプラント監視制御システムを示すシステム構成図である。
【図７】この発明の実施の形態２によるＷｅｂプラント監視制御システムの動作を示すフローチャートである。
【図８】この発明の実施の形態３によるＷｅｂプラント監視制御システムを示すシステム構成図である。
【図９】この発明の実施の形態４によるＷｅｂプラント監視制御システムを示すシステム構成図である。
【図１０】この発明の実施の形態４によるＷｅｂプラント監視制御システムの画面展開登録機能の動作を示すフローチャートである。
【図１１】この発明の実施の形態４によるＷｅｂプラント監視制御システムの画面展開機能の動作を示すフローチャートである。
【図１２】この発明の実施の形態５によるＷｅｂプラント監視制御システムを示すシステム構成図である。
【図１３】この発明の実施の形態６によるＷｅｂプラント監視制御システムを示すシステム構成図である。
【発明を実施するための形態】
【０００９】
実施の形態１．
以下、本発明の実施の形態１を図に基づいて説明する。
図１は、この発明の実施の形態１によるＷｅｂプラント監視制御システムを示すシステム構成図である。
図１において、Ｗｅｂプラント監視制御システムは、Ｗｅｂブラウザ上でプラントの監視制御を行うタブレット型のＷｅｂ端末１（タブレット型Ｗｅｂプラント監視制御装置）と、Ｗｅｂ端末１に、プラントの設備運転状態および計測値を含むプラント監視データ（監視データ）を配信するＷｅｂサーバ２と、プラント監視データを保有するＤＢ（ｄａｔａｂａｓｅ）装置３とを有する。
【００１０】
Ｗｅｂ端末１は、次のように構成されている。
操作管理機能１ａ（操作管理手段）は、Ｗｅｂ端末１から行った操作を管理する。グラフ表示機能１ｂ（グラフ表示手段）は、Ｗｅｂサーバ２から取得したプラント監視データをグラフ化して表示する。時間軸リール表示機能１ｃ（時間軸リール表示手段）は、タブレット上に、時刻が記載された時間軸リールを表示し、時間軸リールを用いて、ユーザが任意の時刻を指定し、この指定された時刻をＷｅｂサーバ２に送信する。
Ｗｅｂサーバ２は、Ｗｅｂ端末１から受信した時刻情報をＤＢ装置３に送信し、ＤＢ装置３から受信したプラント監視データを、Ｗｅｂ端末１に送信する監視データ配信機能２ａを有する。
【００１１】
図２は、この発明の実施の形態１によるＷｅｂプラント監視制御システムにおけるＷｅｂ端末のハードウェアを示す構成図である。
図２において、Ｗｅｂ端末１は、全体を制御するとともに上述のＷｅｂ端末１内の各機能の実行を制御するＣＰＵ（Ｃｅｎｔｒａｌ  Ｐｒｏｃｅｓｓｉｎｇ  Ｕｎｉｔ）１１と、ＣＰＵ１１により読み書きされるメモリ１２と、ＣＰＵ１１の制御により表示を行う表示部１３とを有する。
【００１２】
図４は、この発明の実施の形態１によるＷｅｂプラント監視制御システムのグラフエリアを示す図である。
図４において、画面は、ユーザが左右に移動させるように操作して、表示グラフの時間を変化させる時間軸スケール４ａと、Ｗｅｂサーバ２から取得したプラント監視データをグラフ表示するためのエリアであるグラフエリア４ｂとを有する。
【００１３】
図５は、この発明の実施の形態１によるＷｅｂプラント監視制御システムの時間軸リールを示す図である。
図５において、ユーザが操作し、取得したいグラフの日時を入力する時間軸リール５ａが、グラフエリア４ｂ上に表示されている。
時間軸リール５ａは、現在時刻を表示したドラム状のリールで、スワイプ操作により左右に動かすと、過去の時間、未来の時間を、例えば分単位で指定することができるように構成されている。図４の時間軸スケール４ａがプラント監視データのデータ移動処理を伴うのに対し、時間軸リール５ａは、データ移動処理を伴わないので、素早く時間の指定だけを行うことができる。
【００１４】
次に、実施の形態１の動作について、図３のフローチャートに基づいて説明する。
ユーザがＷｅｂ端末１上で操作を行うと、操作管理機能１ａが操作場所と操作内容をチェックする（ステップＳ１）。ユーザの操作が、グラフエリア４ｂ上、かつフリック操作またはスワイプ操作（以下、フリック／スワイプ操作という）の場合（ステップＳ２）、時間軸リール表示機能１ｃに時間軸リールの表示を指示する。
ユーザが、表示された時間軸リール（図５参照）をスワイプ操作し、取得したいグラフの日時を入力する（ステップＳ３）。
【００１５】
日時の入力が実施されると、Ｗｅｂサーバ２の監視データ配信機能２ａに時刻情報を送信し、Ｗｅｂサーバ２内の監視データ配信機能２ａは、時刻情報をＤＢ装置３に送信する（ステップＳ４）。
そして、Ｗｅｂサーバ２の監視データ配信機能２ａは、該当時刻のプラント監視データをＤＢ装置３から受信する。
Ｗｅｂサーバ２は、受信したプラント監視データをＷｅｂ端末１に送信し、Ｗｅｂ端末１は、取得したプラント監視データからグラフ表示機能１ｂにより、グラフを描画し、Ｗｅｂ端末１上に表示する（ステップＳ５）。
なお、スクロール操作により、過去のグラフを表示する場合、スクロール操作中もＷｅｂサーバ２との通信が発生するため、通信負荷が増大するが、ユーザが任意の時刻を指定することにより、スクロール操作中に発生する通信負荷を発生させずにグラフを表示できる。
【００１６】
実施の形態１によれば、ユーザが任意の時刻を指定して、プラント監視データのグラフを効率的に表示することが可能となる。
【００１７】
実施の形態２．
以下、本発明の実施の形態２を図に基づいて説明する。
図６は、この発明の実施の形態２によるＷｅｂプラント監視制御システムを示すシステム構成図である。
図６において、符号１〜３、１ａ〜１ｃ、２ａは図１におけるものと同一のものである。図６では、Ｗｅｂ端末１に、タブレット上に現在表示されている画面サイズを取得する画面サイズ取得機能１ｄを設けている。
【００１８】
実施の形態１では、時間軸リール表示機能１ｃを利用し、効率的にユーザが指定した時刻のプラント監視データのグラフを表示できるが、ピンチアウトによる画面拡大表示時、グラフエリア４ｂ上でフリック／スワイプ操作を行った際、時間軸リール表示機能１ｃの起動と画面移動で競合する問題がある。
実施の形態２は、これを解決するためのものである。
【００１９】
以下、実施の形態２の動作について、図７を用いて説明する。
ユーザが画面拡大時にグラフエリア４ｂ上でフリック／スワイプ操作を行った時（ステップＳ１１）、操作管理機能１ａが操作内容をチェックし（ステップＳ１２）、タブレット上に表示されている画面サイズを取得する画面サイズ取得機能１ｄを使用し、現在表示されている画面サイズを取得する。
表示されている画面サイズが、ピンチアウトをしていない時の画面サイズと比較し（ステップＳ１３）一致しない場合、画面拡大表示中と判断し、時間軸リール表示機能１ｃの起動を抑止し、画面移動を行う（ステップＳ１４）。
一致した場合、時間軸リールを表示し、実施の形態１と同様にしてグラフの描画を行なう（ステップＳ１５）。
【００２０】
実施の形態２によれば、ユーザがピンチアウトによる画面拡大表示時にフリック／スワイプ操作を行っても、時間軸リール表示機能１ｃが起動せず、画面移動を行うことが可能となる。
【００２１】
実施の形態３．
以下、本発明の実施の形態３を図に基づいて説明する。
図８は、この発明の実施の形態３によるＷｅｂプラント監視制御システムを示すシステム構成図である。
図８において、符号、符号１〜３、１ａ〜１ｄ、２ａは図６におけるものと同一のものである。図８では、Ｗｅｂサーバ２に、予めグラフエリア内の部品毎に操作可否を登録しておく操作部品登録機能２ｂ（操作部品登録手段）を設けている。
【００２２】
実施の形態２では、画面拡大表示時にグラフエリア４ｂ上でフリック／スワイプ操作を行った際に、時間軸リール表示機能１ｃの起動を抑止することで、画面移動との競合を避けることが可能になる。
しかし、画面拡大表示時でも、グラフエリア４ｂ内の時間軸スケール４ａを始めとするグラフに付随する部品を操作可能にする必要がある。実施の形態３は、これに対処するものである。
【００２３】
実施の形態３では、Ｗｅｂサーバ２に、予めグラフエリア４ｂ内の部品毎に操作可否を登録しておく操作部品登録機能２ｂを追加する。
この操作部品登録機能２ｂにより、画面拡大表示時にグラフエリア４ｂでグラフに付随する部品を選択した際、Ｗｅｂサーバ２の操作部品登録機能２ｂを参照し、操作可であれば、ユーザはタップ操作またはフリック／スワイプ操作で、その部品を操作することができるようになる。
【００２４】
実施の形態３によれば、ユーザが、ピンチアウトによる画面拡大表示時に、グラフエリ
ア４ｂ内のグラフに付随する部品の操作可否を選択することができる。
【００２５】
実施の形態４．
以下、本発明の実施の形態４を図に基づいて説明する。
図９は、この発明の実施の形態４によるＷｅｂプラント監視制御システムを示すシステム構成図である。
図９において、符号１〜３、１ａ〜１ｄ、２ａ、２ｂは図８におけるものと同一のものである。図９では、Ｗｅｂ端末１に、タッチ操作に対応する画面展開先を事前に登録する画面展開登録機能１ｅ（画面展開先登録手段）と、タッチ操作に対応する画面展開を行う画面展開機能１ｆ（画面展開手段）とを設けている。
【００２６】
実施の形態１では、フリック／スワイプ操作を使用してユーザが任意の時刻のグラフを表示することができた。
実施の形態４は、これを拡張し、ユーザが任意のタッチ操作と、タッチ操作に対応する画面展開先を事前に画面展開登録機能１ｅに登録することで、ユーザがＷｅｂ端末１上で登録したタッチ操作を実行すると、画面展開機能１ｆにより効率的にタッチ操作に対応する画面展開を行うことができるようにした。
【００２７】
次に、実施の形態４の動作について説明する。
まず、図１０を用いて、画面展開登録機能１ｅの動作について説明する。
事前登録として、ユーザは、Ｗｅｂ端末１上から画面展開登録機能１ｅを起動し、任意のタッチ操作を登録する（ステップＳ２１）。続いて、ユーザは、登録したタッチ操作に対する展開先の画面を登録する（ステップＳ２２）。
【００２８】
次に、画面展開機能１ｆの動作について、図１１を用いて説明する。
画面展開では、ユーザが、Ｗｅｂ端末１上において、画面展開登録機能１ｅにより登録されたタッチ操作を実行する（ステップＳ３１）。
タッチ操作を実行すると、操作管理機能１ａが入力されたタッチ操作をチェックする（ステップＳ３２）。
画面展開登録機能１ｅにより登録されたタッチ操作と、入力されたタッチ操作が一致していれば、画面展開登録機能１ｅが保有するタッチ操作に対応した画面展開先へ画面展開機能１ｆを利用して画面展開を行う（ステップＳ３３）。
【００２９】
実施の形態４によれば、ユーザは、事前登録した任意のタッチ操作を行うことで、効率的に画面展開を行うことができる。
【００３０】
実施の形態５．
以下、本発明の実施の形態５を図に基づいて説明する。
図１２は、この発明の実施の形態５によるＷｅｂプラント監視制御システムを示すシステム構成図である。
図１２において、符号１〜３、１ａ〜１ｆ、２ａ、２ｂは図９におけるものと同一のものである。図１２では、Ｗｅｂ端末１に、ユーザが事前に登録したタッチ操作に対し、操作したい信号の操作設定ウィンドウを割り付ける操作設定ウィンドウ登録機能１ｇ（操作設定ウィンドウ登録手段）と、ユーザがＷｅｂ端末１上で登録したタッチ操作を実行すると、割り付けられた操作設定ウィンドウを展開する操作設定ウィンドウ展開機能１ｈ（操作設定ウィンドウ表示手段）とを設けている。
【００３１】
実施の形態４では、ユーザが登録したタッチ操作を使用することで、効率的に画面展開が行えるようになったが、実施の形態５は、さらに、Ｗｅｂ端末１に操作設定ウィンドウ登録機能１ｇと操作設定ウィンドウ展開機能１ｈを追加するものである。
【００３２】
実施の形態５では、ユーザが事前に登録したタッチ操作に対し、操作したい信号の操作設定ウィンドウを操作設定ウィンドウ登録機能１ｇにより割り付けておく。
その後、ユーザが、Ｗｅｂ端末１上で登録したタッチ操作を実行すると、操作設定ウィンドウ展開機能１ｈにより、効率的に操作設定ウィンドウを展開することが可能になる。
【００３３】
実施の形態５によれば、ユーザが任意のタッチ操作を行うことで、効率的に操作設定ウィンドウを表示することができる。
【００３４】
実施の形態６．
以下、本発明の実施の形態６を図に基づいて説明する。
図１３は、この発明の実施の形態６によるＷｅｂプラント監視制御システムを示すシステム構成図である。
図１３において、符号１〜３、１ａ〜１ｈ、２ａ、２ｂは図１２におけるものと同一のものである。図１３では、Ｗｅｂサーバ２に、ユーザが事前登録したタッチ操作、画面展開先、操作設定ウィンドウの情報を保存するタッチ操作登録情報保有機能２ｃ（登録情報保有手段）を設けている。また、Ｗｅｂサーバ２には、複数のＷｅｂ端末１が接続されている。
【００３５】
実施の形態４および実施の形態５では、登録したタッチ操作、画面展開先、及び操作設定ウィンドウは、１つのＷｅｂ端末１のユーザで使用可能となっている。
実施の形態６は、ユーザが事前登録したタッチ操作、画面展開先、操作設定ウィンドウの情報を複数のＷｅｂ端末１で共有するようにしたものである。
【００３６】
実施の形態６は、Ｗｅｂサーバ２にタッチ操作登録情報保有機能２ｃを追加し、ユーザが事前登録したタッチ操作、画面展開先、操作設定ウィンドウの情報を、タッチ操作登録情報保有機能２ｃに保存するようにした。
これにより、複数のＷｅｂ端末１で、ユーザが事前登録したタッチ操作、画面展開先、操作設定ウィンドウの情報を共有することを可能となる。
【００３７】
実施の形態６によれば、ユーザが異なるＷｅｂ端末１を使用しても同じ登録情報を使用することが可能となり、ユーザの操作に対する効率性を確保することが可能となる。
【００３８】
なお、本発明は、その発明の範囲内において、各実施の形態を自由に組み合わせたり、各実施の形態を適宜、変形、省略することが可能である。
【符号の説明】
【００３９】
１  Ｗｅｂ端末、１ａ  操作管理機能、１ｂ  グラフ表示機能、
１ｃ  時間軸リール表示機能、１ｄ  画面サイズ取得機能、１ｅ  画面展開登録機能、
１ｆ  画面展開機能、１ｇ  操作設定ウィンドウ登録機能、
１ｈ  操作設定ウィンドウ展開機能、２  Ｗｅｂサーバ、２ａ  監視データ配信機能、
２ｂ  操作部品登録機能、２ｃ  タッチ操作登録情報保有機能、３  ＤＢ装置、
４ａ  時間軸スケール、４ｂ  グラフエリア、５ａ  時間軸リール、１１  ＣＰＵ、
１２  メモリ、１３  表示部
【図１】
2018077647.tif 000003
【図２】
2018077647.tif 000004
【図３】
2018077647.tif 000005
【図４】
2018077647.tif 000006
【図５】
2018077647.tif 000007
【図６】
2018077647.tif 000008
【図７】
2018077647.tif 000009
【図８】
2018077647.tif 000010
【図９】
2018077647.tif 000011
【図１０】
2018077647.tif 000012
【図１１】
2018077647.tif 000013
【図１２】
2018077647.tif 000014
【図１３】
2018077647.tif 000015